【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
複数群のデータ(50,50',50")内の各群のデータが固有の患者界面材装置(52,54,56)又は患者界面材装置に固有の構成部材に関連する複数群のデータ(50,50',50")をデータベース(36)に記憶する過程と、
患者の少なくとも１つの特性に対応する患者データを得る過程と、
患者データを複数群のデータと比較する過程と、
比較する過程の結果に基づいて、患者による使用に適する患者界面材装置又は患者界面材装置の構成部材を決定する過程とを含むことを特徴とする患者界面材装置又は患者界面材の少なくとも１つの構成部材を選択する選択法。
【請求項２】
複数群のデータの各々は、(1)各群のデータに関連する固有の患者界面材装置の物理的な寸法に関連するデータ又は(2)各群のデータに関連する患者界面材装置に固有の構成部材の物理的な寸法に関連するデータを含み、患者データは、患者の解剖学的特徴の寸法に対応するデータを含む請求項１に記載の選択法。
【請求項３】
複数群のデータの各々は、(1)各群のデータに関連する固有の患者界面材装置の物理的な寸法に無関係のデータ又は(2)各群のデータに関連する患者界面材装置に固有の構成部材の物理的な寸法に無関係のデータを含み、患者データは、患者の解剖学的特徴の寸法に対応しないデータを含む請求項１に記載の選択法。
【請求項４】
患者界面材装置を決定する過程は、(1)複数の異なる形式の患者界面材装置又は構成部材から一形式の患者界面材装置又は患者界面材装置の構成部材を決定する過程と、(2)決定された患者界面材装置の形式に関連する複数の異なるサイズの患者界面材装置から一サイズの患者界面材装置を決定する過程又は決定された一形式の構成部材に関連する複数の異なるサイズの構成部材から一サイズの構成部材を決定する過程とを含む請求項１に記載の選択法。
【請求項５】
患者データを得る過程は、(1)患者の顔面上の目印間の距離を測定する過程を含み、患者データは、測定された距離を含み又は(2)患者顔面の少なくとも一部の三次元表示を形成する過程を含む請求項１に記載の選択法。
【請求項６】
患者データ群を得る過程は、第１の場所で実施され、更に、患者データを第２の場所に送信して比較する過程を実施する過程を含む請求項１に記載の選択法。
【請求項７】
患者の使用に適する患者界面材装置又は患者界面材装置の構成部材を決定する過程は、患者の使用に適する複数の患者界面材装置又は患者界面材装置の複数の構成部材を決定する過程を含む請求項１に記載の選択法。
【請求項８】
更に、患者データと複数群のデータとの間の一致度に基づき、複数の患者界面材装置又は患者界面材装置の複数の構成部材の中で患者界面材装置又は患者界面材装置の構成部材の優先順位を付ける過程を含む請求項７に記載の選択法。
【請求項９】
患者界面材装置又は患者界面材装置の構成部材は、調節可能な構造を含み、更に、決定する過程で決定される患者界面材装置又は患者界面材装置の構成部材の調節可能な構造の設定レベルを患者データに基づいて決定する過程を含む請求項１に記載の選択法。
【請求項１０】
更に、データベースに患者データを記憶する過程を含む請求項１に記載の選択法。
【請求項１１】
更に、新規な患者界面材装置又は患者界面材装置の新規な構成部材に対応する新規な一群のデータをデータベースに入力する過程と、
新規な一群のデータを含む複数群のデータと記憶された患者データとを使用して、比較する過程と決定する過程とを繰り返す過程とを含む請求項１０に記載の選択法。
【請求項１２】
複数群のデータ(50)内の各群のデータが固有の患者界面材装置(52,54,56)又は患者界面材装置に固有の構成部材に関連する複数群のデータ(50)を記憶するデータベース(36)と、
患者の少なくとも１つの特性に対応する一群の患者データを得る手段(32)と、
患者データを複数群のデータと比較し、比較結果に基づいて患者の使用に適する患者界面材装置又は患者界面材装置の構成部材を決定する演算処理手段(34)とを備えることを特徴とする患者に対して患者界面材装置を選択する選択装置(30)。
【請求項１３】
複数群のデータの各々は、(1)各群のデータに関連する固有の患者界面材装置の物理的な寸法に関連するデータ又は(2)各群のデータに関連する患者界面材装置に固有の構成部材の物理的な寸法に関連するデータを含み、患者データは、患者の解剖学的特徴の寸法に対応するデータを含む請求項１２に記載の選択装置。
【請求項１４】
複数群のデータの各々は、(1)各群のデータに関連する固有の患者界面材装置の物理的な寸法に無関係のデータ又は(2)各群のデータに関連する患者界面材装置に固有の構成部材の物理的な寸法に無関係のデータを含み、患者データは、患者の解剖学的特徴の寸法に対応しないデータを含む請求項１２に記載の選択装置。
【請求項１５】
演算処理手段は、(1)複数の異なる形式の患者界面材装置又は構成部材から一形式の患者界面材装置又は患者界面材装置の構成部材を決定し、(2)決定された一形式の患者界面材装置に関連する複数の異なるサイズの患者界面材装置から一サイズの患者界面材装置を決定し又は決定された一形式の構成部材に関連する複数の異なるサイズの構成部材から一サイズの構成部材を決定する請求項１２に記載の選択装置。
【請求項１６】
一群の患者データを得る手段は、(1)患者顔面上の目印間の距離を測定する測定器具であり、患者データは、測定された距離を含み又は(2)患者顔面の少なくとも一部の三次元表示を形成する手段である請求項１２に記載の選択装置。
【請求項１７】
一群の患者データを得る手段は、第１の場所に配置され、更に、患者データを第２の場所に送信する手段を備える請求項１２に記載の選択装置。
【請求項１８】
演算処理手段は、患者の使用に適する複数の患者界面材装置又は患者界面材装置の複数の構成部材を決定する請求項１２に記載の選択装置。
【請求項１９】
演算処理手段は、患者データと複数群のデータとの間の一致度に基づき、複数の患者界面材装置又は患者界面材装置の複数の構成部材に優先順位を付ける請求項１８に記載の選択装置。
【請求項２０】
患者界面材装置又は患者界面材装置の構成部材は、調節可能な構造を含み、演算処理手段は、患者に適合するように決定される患者界面材装置の調節可能な構造の設定レベル又は患者界面材装置の構成部材の調節可能な構造の設定レベルを患者データに基づいて決定する請求項１２に記載の選択装置。
【請求項２１】
更に、データベースに患者データを記憶する手段を備える請求項１２に記載の選択装置。
【請求項２２】
更に、新規な患者界面材装置又は患者界面材装置の新規な構成部材に対応する新規な一群のデータをデータベースに入力する手段を備え、演算処理手段は、新規な一群のデータを含む複数群のデータと記憶された患者データとを比較して、比較結果に基づき、患者の使用に適する患者界面材装置又は患者界面材装置の構成部材を決定する請求項２１に記載の選択装置。
【手続補正２】
【補正対象書類名】明細書
【補正対象項目名】０００９
【補正方法】変更
【補正の内容】
【０００９】
特定の患者に最適で適正な患者界面材装置を決定する際に、患者が異なる形式のマスクを物理的に試着して、好ましい１つのマスクを患者に選択させるのが従来の方法であった。患者が好ましいと思う形式であっても、患者界面材装置の構造と患者顔面の解剖学的特徴とが必ずしも物理的に適合するとは限らないこともあろう。例えば、患者は、審美的に満足する患者界面材装置を選択するかもしれないが、外見上目立たなくても、良好に適合するものもある。また、患者界面材形式が患者に適当でなかった場合でも、次の患者の使用前にマスクを洗浄しかつ消毒するか又は廃棄すべきである。未使用製品の廃棄は、明らかに不経済で無益である。製品の洗浄及び消毒には、時間を要しかつ製品を十分に洗浄する特別な装置又は化学剤を必要とする。